(57)【要約】【課題】装飾パネルの意匠性を低下させることなく該装飾パネルの辺縁部に設けられる見切り部材の施工性を向上させる。【解決手段】装飾パネル１０の隅角部１３に設けられるコーナーキャップ５０は、該隅角部１３を形成する２つの辺縁部に設けられた２つの見切り部材４１の表面部４２に当接して該表面部４２の継目又は隙間を覆う表面カバー部５１と、該表面カバー部５１に連続して２つの見切り部材４１の側面部４３に沿って延び、該側面部４３の継目を覆う側面カバー部５２と、該側面カバー部５２に連続して２つの見切り部材４１の側面部４３の後端に当接する当接部５３とを備えている。表面カバー部５１と側面カバー部５２と当接部５３とは、表面カバー部５１と当接部５３との間に２つの見切り部材４１が挟持されるようにコ字形状に形成されている。【選択図】図３
2020012347.tif 000002
【特許請求の範囲】
【請求項１】
装飾パネルの出隅部又は入隅部からなる隅角部に設けられるコーナーキャップであって、
上記装飾パネルの上記隅角部を形成する２つの辺縁部に設けられて上記装飾パネルの表面を覆う表面部と側面を覆う側面部とをそれぞれ有する第１及び第２見切り部材の上記表面部に当接し、該表面部の継目又は隙間を覆う表面カバー部と、
上記表面カバー部に連続し、上記第１及び第２見切り部材の上記側面部に沿って延び、該側面部の継目を覆う側面カバー部と、
上記側面カバー部に連続し、上記第１及び第２見切り部材の上記側面部における上記表面部が連続する前端とは逆側の後端に当接する当接部とを備え、
上記表面カバー部と上記側面カバー部と上記当接部とは、該表面カバー部と該当接部との間に上記第１及び第２見切り部材が挟持されるようにコ字形状に形成されている
ことを特徴とするコーナーキャップ。
【請求項２】
請求項１において、
少なくとも上記側面カバー部は、可撓性を有する材料によって形成されている
ことを特徴とするコーナーキャップ。
【請求項３】
請求項１又は２において、
上記側面カバー部は、上記第１及び第２見切り部材の上記側面部に沿う断面Ｌ字形状に形成されている
ことを特徴とするコーナーキャップ。
【請求項４】
請求項１乃至３のいずれか１つにおいて、
上記表面カバー部から上記当接部側に突出し、上記側面カバー部との間に上記第１及び第２見切り部材の上記表面部を挟持する前側突出部を備えている
ことを特徴とするコーナーキャップ。
【請求項５】
請求項１乃至４のいずれか１つにおいて、
上記当接部から上記表面カバー部側に突出し、上記側面カバー部との間に上記第１及び第２見切り部材の上記側面部の後端部を挟持する後側突出部を備えている
ことを特徴とするコーナーキャップ。
【請求項６】
装飾パネルの出隅部又は入隅部からなる隅角部を形成する２つの辺縁部に設けられ、上記装飾パネルの表面を覆う表面部と側面を覆う側面部とをそれぞれ有する第１及び第２見切り部材と、
上記装飾パネルの上記隅角部に設けられるコーナーキャップとを備えた見切り構造であって、
上記コーナーキャップは、請求項１乃至５のいずれか１つに記載のコーナーキャップによって構成されている
ことを特徴とする見切り構造。
【請求項７】
装飾パネルと、
上記装飾パネルの各辺縁部に設けられ、該装飾パネルの表面を覆う表面部と側面を覆う側面部とをそれぞれ有する複数の見切り部材と、
上記装飾パネルの出隅部又は入隅部からなる各隅角部に設けられるコーナーキャップとを備えた装飾パネル体であって、
上記コーナーキャップは、請求項１乃至５のいずれか１つに記載のコーナーキャップによって構成されている
ことを特徴とする装飾パネル体。
【発明の詳細な説明】
【技術分野】
【０００１】
本発明は、装飾パネルに設けられるコーナーキャップ、見切り構造、及びコーナーキャップを備えた装飾パネル体に関するものである。
【背景技術】
【０００２】
従来、床材、壁材、天井材等の装飾に用いられる装飾パネルは、各辺縁部の表面と側面とが見切り部材で覆われ、周囲側面が露出しないように構成されている（例えば、下記の特許文献１を参照）。また、装飾パネルの各辺縁部に設けられる各見切り部材の端部に留め切り加工を施し、装飾パネルの隅角部において、隣り合う見切り部材の端部どうしを突き合わせていた。
【先行技術文献】
【特許文献】
【０００３】
【特許文献１】特開２００４−２５７０９４号公報
【発明の概要】
【発明が解決しようとする課題】
【０００４】
しかしながら、各見切り部材の端部に留め切り加工を施して隣り合う見切り部材の端部どうしを突き合わせるだけでは、装飾パネルを構成する各部材の伸縮によって留め切り加工が施された見切り部材の端部間に隙間が生じ、装飾パネルの意匠性を低下させるおそれがあった。また、留め切り加工が施された見切り部材の端部どうしを隙間が生じないように突き合わせるには、各見切り部材の端部に留め切り加工を精度良く施し、また端部どうしを精度良く配置して固定する必要があり、施工作業が困難になるおそれがあった。
【０００５】
本発明は斯かる点に鑑みてなされたもので、その目的は、装飾パネルの意匠性を低下させることなく該装飾パネルの辺縁部に設けられる見切り部材の施工性を向上させることにある。
【課題を解決するための手段】
【０００６】
上記の目的を達成するために、本発明では、装飾パネルの隅角部において該隅角部を形成する２つの辺縁部に設けられる２つの見切り部材の継目又は隙間を覆う着脱容易なコーナーキャップを提供することとした。
【０００７】
具体的には、第１の発明は、装飾パネルの出隅部又は入隅部からなる隅角部に設けられるコーナーキャップであって、上記装飾パネルの上記隅角部を形成する２つの辺縁部に設けられて上記装飾パネルの表面を覆う表面部と側面を覆う側面部とをそれぞれ有する第１及び第２見切り部材の上記表面部に当接し、該表面部の継目又は隙間を覆う表面カバー部と、上記表面カバー部に連続し、上記第１及び第２見切り部材の上記側面部に沿って延び、該側面部の継目を覆う側面カバー部と、上記側面カバー部に連続し、上記第１及び第２見切り部材の上記側面部における上記表面部が連続する前端とは逆側の後端に当接する当接部とを備え、上記表面カバー部と上記側面カバー部と上記当接部とは、該表面カバー部と該当接部との間に上記第１及び第２見切り部材が挟持されるようにコ字形状に形成されていることを特徴とするものである。
【０００８】
第１の発明では、装飾パネルの隅角部に上記コーナーキャップを設けることにより、上記隅角部を形成する２つの辺縁部に設けられた第１及び第２見切り部材の表面部の継目又は隙間と側面部の継目とが表面カバー部と側面カバー部とで覆われることとなる。そのため、装飾パネルを構成する各部材の伸縮によって第１及び第２見切り部材の端部間に隙間が生じたとしても、該隙間はコーナーキャップによって覆われることとなるため、装飾パネルの意匠性が向上する。また、コーナーキャップをコ字形状に形成することにより、コーナーキャップを第１及び第２見切り部材の表面部及び側面部に沿うように設けることができるため、コーナーキャップの意匠が第１及び第２見切り部材の意匠と一体化されて見える。よって、装飾パネルの意匠性を低下させることなくコーナーキャップを設けることができる。
【０００９】
また、第１の発明によれば、第１及び第２見切り部材の端部間の継目又は隙間をコーナーキャップによって覆うことにより、第１及び第２見切り部材の端部に留め切り加工を施して隙間なく当接させなくても装飾パネルの意匠性を低下させるおそれがない。つまり、第１及び第２見切り部材の端部に留め切り加工を精度良く施し、端部どうしを高精度に突き合わせる必要がないため、第１及び第２見切り部材を容易に施工することができる。
【００１０】
また、第１の発明によれば、コーナーキャップが、第１及び第２見切り部材の表面部及び側面部の継目又は隙間を覆う表面カバー部及び側面カバー部の他、第１及び第２見切り部材の後端に当接する当接部を有し、表面カバー部と当接部との間に第１及び第２見切り部材が挟持されるように表面カバー部と側面カバー部と当接部とがコ字形状に形成されている。そのため、第１及び第２見切り部材の端部に何ら変更を加えることなく、コーナーキャップを装飾パネルの隅角部に押し込むだけで容易にコーナーキャップを取り付けることができる。
【００１１】
以上のように、第１の発明によれば、装飾パネルの隅角部において該隅角部を形成する２つの辺縁部に設けられる第１及び第２見切り部材の継目又は隙間を覆う着脱容易なコーナーキャップを提供することにより、装飾パネルの意匠性を低下させることなく該装飾パネルの辺縁部に設けられる見切り部材の施工性を向上させることが可能になる。
【００１２】
第２の発明は、第１の発明において、少なくとも上記側面カバー部は、可撓性を有する材料によって形成されているものである。
【００１３】
第２の発明では、側面カバー部が可撓性を有する材料によって形成されている。このように側面カバー部が可撓性を有するように構成することにより、コーナーキャップの着脱時に、側面カバー部を撓ませて表面カバー部と当接部との間隔を広げることが可能になるため、容易にコーナーキャップを着脱することができる。
【００１４】
第３の発明は、第１又は第２の発明において、上記側面カバー部は、上記第１及び第２見切り部材の上記側面部に沿う断面Ｌ字形状に形成されているものである。
【００１５】
第３の発明では、側面カバー部が、第１及び第２見切り部材の側面部に沿う断面Ｌ字形状に形成されているため、コーナーキャップを第１及び第２見切り部材に取り付けた際に、側面カバー部を第１及び第２見切り部材の側面部に当接させることができ、第１及び第２見切り部材の側面部の継目を側面カバー部によって確実に覆うことができる。また、コーナーキャップの表面カバー部と当接部だけでなく、側面カバー部も第１及び第２見切り部材に当接させることにより、第１及び第２見切り部材に取り付けられたコーナーキャップの姿勢が安定し、第１及び第２見切り部材から脱落し難くなる。
【００１６】
第４の発明は、第１乃至第３のいずれか１つの発明において、上記表面カバー部から上記当接部側に突出し、上記側面カバー部との間に上記第１及び第２見切り部材の上記表面部を挟持する前側突出部を備えているものである。
【００１７】
第４の発明では、上記コーナーキャップに表面カバー部から当接部側に突出する前側突出部が設けられ、該前側突出部は、側面カバー部との間に第１及び第２見切り部材の表面部を挟持するように構成されている。このような構成により、コーナーキャップに第１及び第２見切り部材から外れるような力が作用しても、前側突出部が第１及び第２見切り部材の表面部に引っ掛かることにより、コーナーキャップが第１及び第２見切り部材から脱落し難くなる。
【００１８】
第５の発明は、第１乃至第４のいずれか１つの発明において、上記当接部から上記表面カバー部側に突出し、上記側面カバー部との間に上記第１及び第２見切り部材の上記側面部の後端部を挟持する後側突出部を備えているものである。
【００１９】
第５の発明では、上記コーナーキャップに当接部から表面カバー部側に突出する後側突出部が設けられ、該後側突出部は、側面カバー部との間に第１及び第２見切り部材の側面部の後端部を挟持するように構成されている。このような構成により、コーナーキャップに第１及び第２見切り部材から外れるような力が作用しても、後側突出部が第１及び第２見切り部材の側面部の後端部に引っ掛かることにより、コーナーキャップが第１及び第２見切り部材から脱落し難くなる。
【００２０】
第６の発明は、装飾パネルの出隅部又は入隅部からなる隅角部を形成する２つの辺縁部に設けられ、上記装飾パネルの表面を覆う表面部と側面を覆う側面部とをそれぞれ有する第１及び第２見切り部材と、上記装飾パネルの上記隅角部に設けられるコーナーキャップとを備えた見切り構造であって、上記コーナーキャップは、上記第１乃至第５のいずれか１つの発明に係るコーナーキャップによって構成されているものである。
【００２１】
第６の発明では、装飾パネルの隅角部において該隅角部を形成する２つの辺縁部に設けられる第１及び第２見切り部材の継目又は隙間を着脱容易なコーナーキャップで覆うこととしたため、装飾パネルの意匠性を低下させることなく該装飾パネルの辺縁部に施工性に優れた見切り構造を提供することができる。
【００２２】
第７の発明は、装飾パネルと、上記装飾パネルの各辺縁部に設けられ、該装飾パネルの表面を覆う表面部と側面を覆う側面部とをそれぞれ有する複数の見切り部材と、上記装飾パネルの出隅部又は入隅部からなる各隅角部に設けられるコーナーキャップとを備えた装飾パネル体であって、上記コーナーキャップは、上記第１乃至第５のいずれか１つの発明に係るコーナーキャップによって構成されているものである。
【００２３】
第７の発明では、装飾パネルの隅角部において該隅角部を形成する２つの辺縁部に設けられる第１及び第２見切り部材の継目又は隙間を着脱容易なコーナーキャップで覆うこととしたため、意匠性及び施工性に優れた装飾パネル体を提供することができる。
【発明の効果】
【００２４】
以上説明した如く、本発明によると、装飾パネルの隅角部において該隅角部を形成する２つの辺縁部に設けられる２つの見切り部材の継目又は隙間を覆う着脱容易なコーナーキャップを提供することにより、装飾パネルの意匠性を低下させることなく該装飾パネルの辺縁部に設けられる見切り部材の施工性を向上させることができる。
【図面の簡単な説明】
【００２５】
【図１】図１は、本発明の実施形態１のコーナーキャップ及び見切り構造が適用された装飾パネル体１が設けられた室内空間の投影図である。
【図２】図２は、図１のII−II線方向の断面図である。
【図３】図３（Ａ）及び図３（Ｂ）は、図１の装飾パネル体１の出隅部からなる隅角部を拡大して示す斜視図であり、図３（Ａ）は、出隅コーナーキャップを取り外した状態を示し、図３（Ｂ）は、出隅コーナーキャップが取り付けられた状態を示す。
【図４】図４は、出隅コーナーキャップの側面図である。
【図５】図５は、図４のＶ−Ｖ線方向の断面図である。
【図６】図６は、図４のＶＩ−ＶＩ線方向の断面図である。
【図７】図７は、出隅コーナーキャップの斜視図である。
【図８】図８は、図１のＸIII−ＸIII線方向の断面図である。
【図９】図９（Ａ）及び図９（Ｂ）は、図１の装飾パネル体１の入隅部からなる隅角部を拡大して示す斜視図であり、図９（Ａ）は、入隅コーナーキャップを取り外した状態を示し、図９（Ｂ）は、入隅コーナーキャップが取り付けられた状態を示す。
【図１０】図１０は、入隅コーナーキャップの側面図である。
【図１１】図１１は、図１０のＸＩ−ＸＩ線方向の断面図である。
【図１２】図１２は、図１０のＸII−ＸII線方向の断面図である。
【図１３】図１３は、入隅コーナーキャップの斜視図である。
【発明を実施するための形態】
【００２６】
以下、本発明の実施形態を図面に基づいて詳細に説明する。以下の実施形態の説明は、本質的に例示に過ぎず、本発明、その適用物或いはその用途を制限することを意図するものでは全くない。
【００２７】
以下では、本発明の実施形態の一例として、室内の壁面の前側（室内側）に壁面と間隔を空けて設けたふかし壁を装飾パネルとする例について説明する。
【００２８】
《発明の実施形態１》
図１は、本発明の実施形態１に係る装飾パネル体１が設けられた室内空間を示すものである。装飾パネル体１は、室内の壁面Ｗの前側（室内側）に該壁面Ｗと間隔を空けて該壁面Ｗに平行に設けられている。本実施形態１では、装飾パネル体１は、壁面Ｗとの間に設けた図示しない照明器具によって壁面Ｗに光を当て、壁面Ｗで反射する光を間接照明として利用できるように設けられている。
【００２９】
装飾パネル体１は、装飾パネル１０と、外側フレーム２０と、内側フレーム３０とを有している。
【００３０】
［装飾パネル］
装飾パネル１０は、１枚又は複数枚のパネル部材によって矩形状に形成され、内側に矩形の開口１１が形成されている。装飾パネル１０の外周縁に外側フレーム２０が取り付けられている。また、装飾パネル１０の開口１１を取り囲む内周縁に内側フレーム３０が取り付けられている。
【００３１】
［外側フレーム］
図１〜図３に示すように、外側フレーム２０は、４つの納め部材４０と、４つの出隅コーナーキャップ５０とを有している。
【００３２】
４つの納め部材４０は、装飾パネル１０の外周縁を構成する４つの辺縁部１２に１つずつ設けられている。４つの納め部材４０は、同様に構成され、見切り部材４１と受け部材４５とをそれぞれ有している。
【００３３】
見切り部材４１は、装飾パネル１０の各辺縁部１２において、一方の隅角部１３から他方の隅角部１３に亘って該各辺縁部１２に沿って延びている。見切り部材４１は、表面部４２と側面部４３と支持部４４とを有し、装飾パネル１０の各辺縁部１２の表面と側面とを覆い隠している。
【００３４】
表面部４２は、両端部に留め切り加工が施された（４５度の角度で切断された）長尺の矩形の板状片によって形成されている。表面部４２は、装飾パネル１０の各辺縁部１２の表面上に該表面に平行に配置されている。表面部４２は、一方の隅角部１３から他方の隅角部１３まで各辺縁部１２の表面に沿って延び、該表面を覆っている。本実施形態１では、表面部４２の幅は、４．５ｍｍに形成されている。
【００３５】
側面部４３は、幅広の長尺の矩形の板状片によって形成されている。側面部４３は、表面部４２の幅方向の一端部（留め切り加工が施された表面部４２の長辺）に連続し、表面部４２に略垂直な方向に延びている。側面部４３は、装飾パネル１０の各辺縁部１２の側面上に該側面に平行に配置されている。側面部４３は、一方の隅角部１３から他方の隅角部１３まで各辺縁部１２の側面に沿って延び、該側面を覆っている。側面部４３は、装飾パネル１０の厚みよりも幅広に形成されている。つまり、側面部４３は、幅方向において表面部４２が連続する前端とは逆側の後端が、装飾パネル１０の側面の後端よりも後側に位置するように幅広に形成されている。本実施形態１では、装飾パネル１０の厚みは２７ｍｍに形成され、側面部４３の幅は、４８．４ｍｍに形成されている。
【００３６】
支持部４４は、側面部４３の装飾パネル１０が当接する内面から内側（装飾パネル１０側）に突出する第１突出部４４ａと第２突出部４４ｂとを有している。第１突出部４４ａ及び第２突出部４４ｂは、両端部に留め切り加工が施された（４５度の角度で切断された）長尺の矩形の板状片によって形成されている。第１突出部４４ａは、第２突出部４４ｂよりも表面部４２側に設けられている。
【００３７】
第１突出部４４ａは、表面部４２に平行に設けられ、該表面部４２との間に装飾パネル１０が挟まるように、表面部４２と装飾パネル１０の厚み以上の間隔を空けて設けられている。第１突出部４４ａは、装飾パネル１０の一方の隅角部１３から他方の隅角部１３まで該装飾パネル１０の背面に沿って延び、該背面に当接している。第１突出部４４ａは、突出長さ（側面部４３側の基端から突出先端までの距離）が表面部４２の幅と同程度になるように形成されている。
【００３８】
第２突出部４４ｂは、第１突出部４４ａよりも突出長さが長い板状片によって形成されている。第２突出部４４ｂは、装飾パネル１０の一方の隅角部１３から他方の隅角部１３まで第１突出部４４ａに平行に延びている。第２突出部４４ｂは、第１突出部４４ａとの間に後述する受け部材４５の本体部４６の端部が挟まるように、第１突出部４４ａと受け部材４５の本体部４６の端部の厚み以上の間隔を空けて設けられている。また、第２突出部４４ｂの突出先端側には表裏両側に複数の溝が形成されている。複数の溝は、それぞれ第２突出部４４ｂの長手方向の一端から他端まで延び、互いに平行に等間隔で形成されている。この複数の溝が形成された部分は、後述する受け部材４５の本体部４６及びホルダ部４８と係合する係合部４４ｃとなる。
【００３９】
受け部材４５は、装飾パネル１０の背面側において、一方の隅角部１３から他方の隅角部１３に亘って該各辺縁部１２の背面に沿って延びている。受け部材４５は、本体部４６と第１及び第２当接部４７ａ，４７ｂとホルダ部４８とを有し、装飾パネル１０の背面に取り付けられると共に見切り部材４１と係合して該見切り部材４１を装飾パネル１０に取り付ける取付部材を構成する。
【００４０】
本体部４６は、装飾パネル１０の背面側において各辺縁部１２に沿って延びる長い板状片によって形成されている。本体部４６の装飾パネル１０と反対側の背面には複数の溝が形成されている。複数の溝は、それぞれ本体部４６の長手方向の一端から他端まで延び、互いに平行に等間隔で形成されている。この複数の溝が形成された部分は、各溝間に形成される突条部が見切り部材４１の係合部４４ｃの複数の溝に嵌まり込む一方、見切り部材４１の係合部４４ｃの複数の溝間に形成される突条部が、本体部４６の複数の溝に嵌まり込むことにより、該係合部４４ｃと噛み合う係合部となるように形成されている。
【００４１】
第１及び第２当接部４７ａ，４７ｂは、本体部４６の装飾パネル１０側の表面から突出し、装飾パネル１０の一方の隅角部１３から他方の隅角部１３まで該装飾パネル１０の背面に沿って延びている。第１及び第２当接部４７ａ，４７ｂは、突出端面が装飾パネル１０の背面に面接触するように平坦面に形成されている。第１及び第２当接部４７ａ，４７ｂは、本体部４６の幅方向に間隔を空けて設けられ、第１当接部４７ａは、本体部４６の幅方向の一端部に形成され、第２当接部４７ｂは、第１当接部４７ａと本体部４６の他端部との間に形成されている。
【００４２】
ホルダ部４８は、本体部４６の背面側において、第１及び第２当接部４７ａ，４７ｂの間に形成されている。ホルダ部４８は、本体部４６に平行な挟持片部４８ａと挟持片部４８ａを本体部４６に接続する接続片部４８ｂとを有する断面Ｌ字形状の長尺の板状片によって形成されている。ホルダ部４８は、装飾パネル１０の一方の隅角部１３から他方の隅角部１３まで本体部４６の背面に沿って延びている。ホルダ部４８は、本体部４６と挟持片部４８ａとの間隔が、その間に見切り部材４１の係合部４４ｃが挟まるような間隔になるように形成されている。挟持片部４８ａの本体部４６との対向面には、複数の溝が形成されている。複数の溝は、それぞれ本体部４６の長手方向の一端から他端まで延び、互いに平行に等間隔で形成され、本体部４６の背面に形成された複数の溝に対応する位置に設けられている。この複数の溝が形成された部分は、各溝間に形成される突条部が見切り部材４１の係合部４４ｃの複数の溝に嵌まり込む一方、見切り部材４１の係合部４４ｃの複数の溝間に形成される突条部が、本体部４６の複数の溝に嵌まり込むことにより、該係合部４４ｃと噛み合う係合部となるように形成されている。
【００４３】
受け部材４５は、第１及び第２当接部４７ａ，４７ｂが装飾パネル１０の各辺縁部１２において背面に接触し、本体部４６の幅方向において第２当接部４７ｂ側の端面が装飾パネル１０の側面と面一になる位置に配置され、第１当接部４７ａを貫通するビス４９によって装飾パネル１０に固定されている。
【００４４】
一方、見切り部材４１は、装飾パネル１０に固定された受け部材４５に対し、第１及び第２突出部４４ａ,４４ｂの間に受け部材４５の本体部４６の幅方向の第２当接部４７ｂ側の端部が嵌まり込み、係合部４４ｃが受け部材４５の本体部４６とホルダ部４８の挟持片部４８ａとの間に嵌まり込むように、押し付けられることによって受け部材４５に取り付けられる。見切り部材４１が受け部材４５に取り付けられると、装飾パネル１０の辺縁部１２の表面と側面とは、それぞれ見切り部材４１の表面部４２と側面部４３とによって覆い隠されることとなる。また、本実施形態１では、各見切り部材４１の両端部に留め切り加工が施されているため、図３（Ａ）に示すように、装飾パネル１０の隅角部１３において隣り合う見切り部材４１の端部どうしが隙間なく当接することとなる。
【００４５】
図１に示すように、４つの出隅コーナーキャップ５０は、装飾パネル１０の出隅部を構成する４つの隅角部１３に１つずつ設けられている。４つの出隅コーナーキャップ５０は、可撓性を有する材料で形成され、本実施形態１では可撓性を有する樹脂材料で形成されている。図３〜図７に示すように、４つの出隅コーナーキャップ５０は、同様に構成され、表面カバー部５１と、側面カバー部５２と、当接部５３と、前側突出部５４と、後側突出部５５とをそれぞれ有している。
【００４６】
なお、以下では、説明の便宜上、図１において縦方向に延びる見切り部材４１を第１見切り部材４１Ａ、横方向に延びる見切り部材４１を第２見切り部材４１Ｂと言う。
【００４７】
表面カバー部５１は、装飾パネル１０の隅角部１３において、第１及び第２見切り部材４１Ａ，４１Ｂの表面部４２に平行に且つ該表面部４２の継目に沿って延びる板状片によって形成されている。本実施形態１では、外側フレーム２０の第１及び第２見切り部材４１Ａ，４１Ｂは、両端部に留め切り加工が施され、表面部４２の両端部が各々の延伸方向に対して４５度の傾斜角で切断され、隅角部１３において表面部４２どうしが隙間なく当接している。表面カバー部５１は、このように第１及び第２見切り部材４１Ａ，４１Ｂの延伸方向に対して４５度傾斜した方向に延びる第１及び第２見切り部材４１Ａ，４１Ｂの表面部４２の継目に沿って延びている。そして、表面カバー部５１は、第１及び第２見切り部材４１Ａ，４１Ｂの表面部４２の継目を覆い隠せる幅（継目に直交する方向の長さ）に形成されている。本実施形態１では、表面カバー部５１は、上記幅が、第１及び第２見切り部材４１Ａ，４１Ｂの表面部４２の幅よりも狭くなるように形成されている。具体的には、表面カバー部５１の幅は、３．５ｍｍに形成されている。
【００４８】
側面カバー部５２は、表面カバー部５１の一端部に連続し、表面カバー部５１に垂直な方向に延びている。側面カバー部５２は、細長い板状片からなる第１カバー部５２ａと第２カバー部５２ｂとを有している。第１カバー部５２ａと第２カバー部５２ｂとは、９０度の角度をなすように連続している。これにより、側面カバー部５２は、表面カバー部５１に平行な断面がＬ字形状になるように形成されている。
【００４９】
側面カバー部５２は、装飾パネル１０の隅角部１３において、第１カバー部５２ａが第１見切り部材４１Ａに平行に配置され、第２カバー部５２ｂが第２見切り部材４１Ｂに平行に配置されるように設けられる。側面カバー部５２の延伸方向の長さは、第１及び第２見切り部材４１Ａ，４１Ｂの側面部４３の幅と等しい長さ（本実施形態１では、４８．４ｍｍ）に形成されている。
【００５０】
本実施形態１では、外側フレーム２０の第１及び第２見切り部材４１Ａ，４１Ｂは、両端部に留め切り加工が施され、隅角部１３において側面部４３どうしが隙間なく当接している。側面カバー部５２は、このように隅角部１３において隙間なく当接する第１及び第２見切り部材４１Ａ，４１Ｂの側面部４３の継目に沿って延び、該継目を覆っている。
【００５１】
当接部５３は、一端部が側面カバー部５２の他端部（表面カバー部５１が連続する一端部に対する他端部）に連続し、表面カバー部５１に平行に且つ同一方向に延びる板状片によって形成されている。当接部５３は、表面カバー部５１に対し、互いの間に第１及び第２見切り部材４１Ａ，４１Ｂが挟持されるような間隔を空けて設けられている。本実施形態１では、当接部５３は、表面カバー部５１と第１及び第２見切り部材４１Ａ，４１Ｂの側面部４３の幅（４８．４ｍｍ）分だけ間隔を空けて設けられている。そして、当接部５３は、装飾パネル１０の隅角部１３において、第１及び第２見切り部材４１Ａ，４１Ｂの側面部４３の後端に当接するように設けられている。
【００５２】
前側突出部５４は、表面カバー部５１の他端部（側面カバー部５２が連続する一端部の逆側の端部）において、当接部５３に向かって表面カバー部５１に垂直な方向に突出した柱状体によって形成されている。前側突出部５４は、側面カバー部５２との間に第１及び第２見切り部材４１Ａ，４１Ｂの表面部４２が挟持される形状に形成されている。本実施形態１では、前側突出部５４は、表面カバー部５１に平行な断面が直角二等辺三角形状の柱状体に形成され、直角に連続する２つの外側面が側面カバー部５２の断面Ｌ字形状の内面に対応するように設けられている。
【００５３】
このような構成により、前側突出部５４は、側面カバー部５２との対向面（２つの外側面）が、第１及び第２見切り部材４１Ａ，４１Ｂの側面部４３に沿う断面Ｌ字形状に形成され、側面カバー部５２との間に、第１及び第２見切り部材４１Ａ，４１Ｂの表面部４２が収容される断面Ｌ字形状の収容溝５６を形成することとなる。そして、前側突出部５４は、側面カバー部５２との間に第１及び第２見切り部材４１Ａ，４１Ｂの表面部４２を挟持する。
【００５４】
後側突出部５５は、当接部５３の他端部（側面カバー部５２が連続する一端部の逆側の端部）において、表面カバー部５１に向かって当接部５３に垂直な方向に突出した柱状体によって形成されている。後側突出部５５は、側面カバー部５２との間に第１及び第２見切り部材４１Ａ，４１Ｂの側面部４３の後端部４３ａが挟持される形状に形成されている。本実施形態１では、後側突出部５５は、当接部５３に平行な断面が直角二等辺三角形状の柱状体に形成され、直角に連続する２つの外側面が側面カバー部５２の断面Ｌ字形状の内面に対応するように設けられている。
【００５５】
このような構成により、後側突出部５５は、側面カバー部５２との対向面（２つの外側面）が、第１及び第２見切り部材４１Ａ，４１Ｂの側面部４３に沿う断面Ｌ字形状に形成され、側面カバー部５２との間に、第１及び第２見切り部材４１Ａ，４１Ｂの側面部４３の後端部４３ａが収容される収容溝５７を形成する。そして、後側突出部５５は、側面カバー部５２との間に第１及び第２見切り部材４１Ａ，４１Ｂの側面部４３の後端部４３ａを挟持する。
【００５６】
このように、出隅コーナーキャップ５０は、表面カバー部５１と側面カバー部５２と当接部５３とがコ字形状に形成され、表面カバー部５１と当接部５３とで第１及び第２見切り部材４１Ａ，４１Ｂを挟持するように出隅部からなる隅角部１３に取り付けられている。具体的には、出隅コーナーキャップ５０は、表面カバー部５１が第１及び第２見切り部材４１Ａ，４１Ｂの表面部４２に当接すると共に該表面部４２の継目を覆い、側面カバー部５２が第１及び第２見切り部材４１Ａ，４１Ｂの側面部４３の継目を覆い、当接部５３が第１及び第２見切り部材４１Ａ，４１Ｂの側面部４３の後端に当接するように各隅角部１３に取り付けられている。また、出隅コーナーキャップ５０は、取付状態において、互いに対向する前側突出部５４と側面カバー部５２の断面Ｌ字形状の対向面で第１及び第２見切り部材４１Ａ，４１Ｂの表面部４２を挟持し、互いに対向する後側突出部５５と側面カバー部５２の断面Ｌ字形状の対向面で第１及び第２見切り部材４１Ａ，４１Ｂの側面部４３の後端部４３ａを挟持する。
【００５７】
外側フレーム２０は、以上のように構成される。なお、上記外側フレーム２０の一部は、本発明に係る見切り構造を構成する。具体的には、本発明に係る見切り構造は、装飾パネル１０の出隅部からなる隅角部１３を形成する２つの辺縁部に設けられ、装飾パネル１０の表面を覆う表面部４２と側面を覆う側面部４３とをそれぞれ有する第１及び第２見切り部材４１Ａ，４１Ｂと、上記隅角部１３に設けられる出隅コーナーキャップ５０とを備え、外側フレーム２０に含まれている。
【００５８】
［内側フレーム］
図１，８，９に示すように、内側フレーム３０は、４つの納め部材４０と、４つの入隅コーナーキャップ６０とを有している。
【００５９】
４つの納め部材４０は、装飾パネル１０の開口１１を取り囲む内周縁を構成する４つの辺縁部１２に１つずつ設けられている。４つの納め部材４０は、見切り部材４１の両端部に留め切り加工が施されていない点を除き、外側フレーム２０の納め部材４０と同様に構成されているため、説明を省略する。
【００６０】
図１に示すように、４つの入隅コーナーキャップ６０は、装飾パネル１０の入隅部を構成する４つの隅角部１３に１つずつ設けられている。４つの入隅コーナーキャップ６０は、可撓性を有する材料で形成され、本実施形態１では可撓性を有する樹脂材料で形成されている。図９〜図１３に示すように、４つの入隅コーナーキャップ６０は、同様に構成され、表面カバー部６１と、側面カバー部６２と、当接部６３と、前側突出部６４と、後側突出部６５とをそれぞれ有している。
【００６１】
表面カバー部６１は、装飾パネル１０の隅角部１３において、第１及び第２見切り部材４１Ａ，４１Ｂの表面部４２に平行に且つ該表面部４２の隙間を覆うように延びる板状片によって形成されている。
【００６２】
なお、本実施形態１では、内側フレーム３０の第１及び第２見切り部材４１Ａ，４１Ｂは、外側フレーム２０の第１及び第２見切り部材４１Ａ，４１Ｂと異なり、両端部に留め切り加工が施されておらず、表面部４２の両端部が各々の延伸方向に対して垂直な面で切断され、入角部からなる隅角部１３において第１及び第２見切り部材４１Ａ，４１Ｂの表面部４２の間には矩形の隙間が空いている。
【００６３】
表面カバー部６１は、このような第１及び第２見切り部材４１Ａ，４１Ｂの表面部４２間の矩形の隙間を覆うように該隙間よりも大きいＬ字形状に形成されている。具体的には、本実施形態１では、表面カバー部６１は、８．３×８．３ｍｍの矩形の板状片の１つの隅角に１．７×１．７ｍｍの矩形の切り欠きを形成したＬ字形状に形成されている。
【００６４】
側面カバー部６２は、表面カバー部６１の一端部に連続し、表面カバー部６１に垂直な方向に延びている。側面カバー部６２は、細長い板状片からなる第１カバー部６２ａと第２カバー部６２ｂとを有している。第１カバー部６２ａと第２カバー部６２ｂとは、９０度の角度をなすように連続している。これにより、側面カバー部６２は、表面カバー部６１に平行な断面がＬ字形状になるように形成されている。
【００６５】
側面カバー部６２は、装飾パネル１０の隅角部１３において、第１カバー部６２ａが第１見切り部材４１Ａに平行に配置され、第２カバー部６２ｂが第２見切り部材４１Ｂに平行に配置されるように設けられる。側面カバー部６２の延伸方向の長さは、第１及び第２見切り部材４１Ａ，４１Ｂの側面部４３の幅と等しい長さ（本実施形態１では、４８．４ｍｍ）に形成されている。また、側面カバー部６２は、表面カバー部６１のＬ字形状の切り欠き縁に沿うＬ字形状に形成されている。
【００６６】
本実施形態１では、内側フレーム３０の第１及び第２見切り部材４１Ａ，４１Ｂの側面部４３は、入角部からなる隅角部１３において隙間なく当接している。側面カバー部６２は、このように隅角部１３において隙間なく当接する第１及び第２見切り部材４１Ａ，４１Ｂの側面部４３の継目に沿って延び、該継目を覆っている。
【００６７】
当接部６３は、一端部が側面カバー部６２の他端部（表面カバー部６１が連続する一端部に対する他端部）に連続し、表面カバー部６１に平行に延びる板状片によって形成されている。当接部６３は、表面カバー部６１に対し、互いの間に第１及び第２見切り部材４１Ａ，４１Ｂが挟持されるような間隔を空けて設けられている。本実施形態１では、当接部６３は、表面カバー部６１と第１及び第２見切り部材４１Ａ，４１Ｂの側面部４３の幅（４８．４ｍｍ）分だけ間隔を空けて設けられている。そして、当接部６３は、装飾パネル１０の隅角部１３において、第１及び第２見切り部材４１Ａ，４１Ｂの側面部４３の後端に当接するように設けられている。
【００６８】
前側突出部６４は、表面カバー部６１の側面カバー部６２が連続する隅角の対角の隅角の両側の辺縁部において、当接部６３に向かって表面カバー部６１に垂直な方向に突出した板状片によって形成されている。前側突出部６４は、矩形状の板状片からなる第１突出片６４ａ及び第２突出片６４ｂを有し、側面カバー部６２との間に第１及び第２見切り部材４１Ａ，４１Ｂの表面部４２が挟持されるように断面Ｌ字形状に形成されている。前側突出部６４は、側面カバー部６２の断面Ｌ字形状の内面に対応するように設けられている。具体的には、前側突出部６４は、第１突出片６４ａが側面カバー部６２の第１カバー部６２ａに対応し、第２突出片６４ｂが側面カバー部６２の第２カバー部６２ｂに対応するように設けられている。
【００６９】
このような構成により、前側突出部６４は、側面カバー部６２との対向面が、第１及び第２見切り部材４１Ａ，４１Ｂの側面部４３に沿う断面Ｌ字形状に形成され、側面カバー部６２との間に、第１及び第２見切り部材４１Ａ，４１Ｂの表面部４２が収容される収容溝６６を形成する。そして、前側突出部６４は、側面カバー部６２との間に第１及び第２見切り部材４１Ａ，４１Ｂの表面部４２を挟持する。
【００７０】
後側突出部６５は、当接部６３の他端部（側面カバー部５２が連続する一端部の逆側の端部）において、表面カバー部６１に向かって当接部６３に垂直な方向に突出した板状片によって形成されている。後側突出部６５は、側面カバー部６２との間に第１及び第２見切り部材４１Ａ，４１Ｂの側面部４３の後端部４３ａが挟持されるように断面Ｌ字形状に形成され、側面カバー部６２の断面Ｌ字形状の内面に対応するように設けられている。
【００７１】
このような構成により、後側突出部６５は、側面カバー部６２との対向面が、第１及び第２見切り部材４１Ａ，４１Ｂの側面部４３に沿う断面Ｌ字形状に形成され、側面カバー部６２との間に、第１及び第２見切り部材４１Ａ，４１Ｂの側面部４３の後端部４３ａが収容される収容溝６７を形成する。そして、後側突出部６５は、側面カバー部６２との間に第１及び第２見切り部材４１Ａ，４１Ｂの側面部４３の後端部４３ａを挟持する。
【００７２】
このように、入隅コーナーキャップ６０は、表面カバー部６１と側面カバー部６２と当接部６３とがコ字形状に形成され、表面カバー部６１と当接部６３とで第１及び第２見切り部材４１Ａ，４１Ｂを挟持するように入隅部からなる隅角部１３に取り付けられている。具体的には、入隅コーナーキャップ６０は、表面カバー部６１が第１及び第２見切り部材４１Ａ，４１Ｂの表面部４２に当接すると共に該表面部４２の隙間を覆い、側面カバー部６２が第１及び第２見切り部材４１Ａ，４１Ｂの側面部４３の継目を覆い、当接部６３が第１及び第２見切り部材４１Ａ，４１Ｂの側面部４３の後端に当接するように各隅角部１３に取り付けられている。また、入隅コーナーキャップ６０は、取付状態において、互いに対向する前側突出部６４と側面カバー部６２の断面Ｌ字形状の対向面で第１及び第２見切り部材４１Ａ，４１Ｂの表面部４２を挟持し、互いに対向する後側突出部６５と側面カバー部６２の断面Ｌ字形状の対向面で第１及び第２見切り部材４１Ａ，４１Ｂの側面部４３の後端部４３ａを挟持する。
【００７３】
内側フレーム３０は、以上のように構成される。なお、上記内側フレーム３０の一部は、本発明に係る見切り構造を構成する。具体的には、本発明に係る見切り構造は、装飾パネル１０の入隅部からなる隅角部１３を形成する２つの辺縁部に設けられ、装飾パネル１０の表面を覆う表面部４２と側面を覆う側面部４３とをそれぞれ有する第１及び第２見切り部材４１Ａ，４１Ｂと、上記隅角部１３に設けられる入隅コーナーキャップ６０とを備え、内側フレーム３０に含まれている。
【００７４】
−取付手順−
外側フレーム２０及び内側フレーム３０は、以下の手順で装飾パネル１０の外周縁及び内周縁に取り付けられる。
【００７５】
［外側フレーム］
まず、装飾パネル１０に納め部材４０の受け部材４５を取り付ける。受け部材４５は、装飾パネル１０の外周縁を構成する４つの辺縁部１２の背面に１つずつ取り付けられる。受け部材４５は、第１及び第２当接部４７ａ，４７ｂが装飾パネル１０の各辺縁部１２において背面に接触し、本体部４６の幅方向において第２当接部４７ｂ側の端面が装飾パネル１０の外側面と面一になる位置に配置され、第１当接部４７ａを貫通するビス４９によって装飾パネル１０に固定される。
【００７６】
次に、受け部材４５が取り付けられた装飾パネル１０の４つの辺縁部１２に見切り部材４１を取り付ける。見切り部材４１は、装飾パネル１０に固定された受け部材４５に対し、第１及び第２突出部４４ａ,４４ｂの間に受け部材４５の本体部４６の幅方向において第２当接部４７ｂ側の端部が嵌まり込み、係合部４４ｃが受け部材４５の本体部４６とホルダ部４８の挟持片部４８ａとの間に嵌まり込むように、押し付けられることによって受け部材４５に取り付けられる。見切り部材４１が受け部材４５に取り付けられると、装飾パネル１０の辺縁部１２の表面と外側面とは、それぞれ見切り部材４１の表面部４２と側面部４３とによって覆い隠されることとなる。また、本実施形態１では、各見切り部材４１の両端部に留め切り加工が施されているため、図３（Ａ）に示すように、装飾パネル１０の隅角部１３において隣り合う見切り部材４１の端部どうしが隙間なく当接することとなる。
【００７７】
以上のようにして装飾パネル１０の外周縁を構成する４つの辺縁部１２に納め部材４０を取り付けた後、装飾パネル１０の出隅部を構成する４つの隅角部１３に１つずつ出隅コーナーキャップ５０を取り付ける。
【００７８】
図３（Ａ）、（Ｂ）に示すように、出隅コーナーキャップ５０のコ字形状に形成された表面カバー部５１と側面カバー部５２と当接部５３とのうち、対向する表面カバー部５１と当接部５３とで第１及び第２見切り部材４１Ａ，４１Ｂを挟持するように出隅部からなる隅角部１３に出隅コーナーキャップ５０を取り付ける。具体的には、まず、出隅コーナーキャップ５０の互いに対向する後側突出部５５と側面カバー部５２の断面Ｌ字形状の対向面間に形成された収容溝５７に、第１及び第２見切り部材４１Ａ，４１Ｂの側面部４３の後端部４３ａが収容されるように出隅コーナーキャップ５０の当接部５３を取り付ける。次に、出隅コーナーキャップ５０の側面カバー部５２を撓ませて表面カバー部５１と当接部５３との間隔を広げながら、互いに対向する前側突出部５４と側面カバー部５２の断面Ｌ字形状の対向面間に形成された収容溝５６に、第１及び第２見切り部材４１Ａ，４１Ｂの表面部４２が収容されるように出隅コーナーキャップ５０の表面カバー部５１を取り付ける。
【００７９】
なお、出隅コーナーキャップ５０は、表面カバー部５１を先に第１及び第２見切り部材４１Ａ，４１Ｂに取り付けた後、側面カバー部５２を撓ませながら、当接部５３を第１及び第２見切り部材４１Ａ，４１Ｂに取り付けることとしてもよい。
【００８０】
［内側フレーム］
まず、装飾パネル１０に納め部材４０の受け部材４５を取り付ける。受け部材４５は、装飾パネル１０の内周縁を構成する４つの辺縁部１２の背面に１つずつ取り付けられる。受け部材４５は、第１及び第２当接部４７ａ，４７ｂが装飾パネル１０の各辺縁部１２において背面に接触し、本体部４６の幅方向において第２当接部４７ｂ側の端面が装飾パネル１０の内側面と面一になる位置に配置され、第１当接部４７ａを貫通するビス４９によって装飾パネル１０に固定される。
【００８１】
次に、受け部材４５が取り付けられた装飾パネル１０の４つの辺縁部１２に見切り部材４１を取り付ける。見切り部材４１は、装飾パネル１０に固定された受け部材４５に対し、第１及び第２突出部４４ａ,４４ｂの間に受け部材４５の本体部４６の幅方向において第２当接部４７ｂ側の端部が嵌まり込み、係合部４４ｃが受け部材４５の本体部４６とホルダ部４８の挟持片部４８ａとの間に嵌まり込むように、押し付けられることによって受け部材４５に取り付けられる。見切り部材４１が受け部材４５に取り付けられると、装飾パネル１０の辺縁部１２の表面と内側面とは、それぞれ見切り部材４１の表面部４２と側面部４３とによって覆い隠されることとなる。また、本実施形態１では、内側フレーム３０の各見切り部材４１の両端部には留め切り加工が施されていないため、図９（Ａ）に示すように、装飾パネル１０の隅角部１３において隣り合う見切り部材４１の側面部４３の端部は隙間なく当接する一方、表面部４２の端部間には矩形の隙間が空くこととなる。
【００８２】
以上のようにして装飾パネル１０の内周縁を構成する４つの辺縁部１２に納め部材４０を取り付けた後、装飾パネル１０の入隅部を構成する４つの隅角部１３に１つずつ入隅コーナーキャップ６０を取り付ける。
【００８３】
図９（Ａ）、（Ｂ）に示すように、入隅コーナーキャップ６０のコ字形状に形成された表面カバー部６１と側面カバー部６２と当接部６３とのうち、対向する表面カバー部６１と当接部６３とで第１及び第２見切り部材４１Ａ，４１Ｂを挟持するように入隅部からなる隅角部１３に入隅コーナーキャップ６０を取り付ける。具体的には、まず、入隅コーナーキャップ６０の互いに対向する後側突出部６５と側面カバー部６２の断面Ｌ字形状の対向面間に形成された収容溝６７に、第１及び第２見切り部材４１Ａ，４１Ｂの側面部４３の後端部４３ａが収容されるように入隅コーナーキャップ６０の当接部６３を取り付ける。次に、入隅コーナーキャップ６０の側面カバー部６２を撓ませて表面カバー部６１と当接部６３との間隔を広げながら、互いに対向する前側突出部６４と側面カバー部６２の断面Ｌ字形状の対向面間に形成された収容溝６６に、第１及び第２見切り部材４１Ａ，４１Ｂの表面部４２が収容されるように入隅コーナーキャップ６０の表面カバー部６１を取り付ける。
【００８４】
なお、入隅コーナーキャップ６０は、表面カバー部６１を先に第１及び第２見切り部材４１Ａ，４１Ｂに取り付けた後、側面カバー部６２を撓ませながら、当接部６３を第１及び第２見切り部材４１Ａ，４１Ｂに取り付けることとしてもよい。
【００８５】
−実施形態１の効果−
本実施形態１では、装飾パネル１０の隅角部１３に設けられるコーナーキャップ５０，６０を、隅角部１３を形成する２つの辺縁部に設けられる第１及び第２見切り部材４１Ａ，４１Ｂの表面部４２に当接して該表面部４２の継目又は隙間を覆う表面カバー部５１，６１と、該表面カバー部５１，６１に連続して第１及び第２見切り部材４１Ａ，４１Ｂの側面部４３に沿って延びて該側面部４３の継目を覆う側面カバー部５２，６２と、該側面カバー部５２，６２に連続して第１及び第２見切り部材４１Ａ，４１Ｂの側面部４３の後端に当接する当接部５３，６３とを有するように構成した。また、表面カバー部５１，６１と側面カバー部５２，６２と当接部５３，６３とを、表面カバー部５１，６１と当接部５３，６３との間に第１及び第２見切り部材４１Ａ，４１Ｂが挟持されるようにコ字形状に形成することとした。本実施形態１では、このようなコーナーキャップ５０，６０を装飾パネル１０の隅角部１３に設けることにより、隅角部１３を形成する２つの辺縁部に設けられた第１及び第２見切り部材４１Ａ，４１Ｂの表面部４２の継目又は隙間と側面部４３の継目とが表面カバー部５１，６１と側面カバー部５２，６２とで覆われることとなる。そのため、装飾パネル１０を構成する各部材の伸縮によって第１及び第２見切り部材４１Ａ，４１Ｂの端部間に隙間が生じたとしても、該隙間はコーナーキャップ５０，６０によって覆われることとなるため、装飾パネル１０の意匠性が向上する。また、コーナーキャップ５０，６０をコ字形状に形成することにより、コーナーキャップ５０，６０を第１及び第２見切り部材４１Ａ，４１Ｂの表面部４２及び側面部４３に沿うように設けることができるため、コーナーキャップ５０，６０の意匠が第１及び第２見切り部材４１Ａ，４１Ｂの意匠と一体化されて見える。よって、装飾パネル１０の意匠性を低下させることなくコーナーキャップ５０，６０を設けることができる。
【００８６】
また、本実施形態１によれば、第１及び第２見切り部材４１Ａ，４１Ｂの端部間の継目又は隙間をコーナーキャップ５０，６０によって覆うことにより、第１及び第２見切り部材４１Ａ，４１Ｂの端部に留め切り加工を施して隙間なく当接させなくても装飾パネル１０の意匠性を低下させるおそれがない。つまり、第１及び第２見切り部材４１Ａ，４１Ｂの端部に留め切り加工を精度良く施し、端部どうしを高精度に突き合わせる必要がないため、第１及び第２見切り部材４１Ａ，４１Ｂを容易に施工することができる。
【００８７】
また、本実施形態１によれば、コーナーキャップ５０，６０が、第１及び第２見切り部材４１Ａ，４１Ｂの表面部４２及び側面部４３の継目又は隙間を覆う表面カバー部５１，６１及び側面カバー部５２，６２の他、第１及び第２見切り部材４１Ａ，４１Ｂの後端に当接する当接部５３，６３を有し、表面カバー部５１，６１と当接部５３，６３との間に第１及び第２見切り部材４１Ａ，４１Ｂが挟持されるように表面カバー部５１，６１と側面カバー部５２，６２と当接部５３，６３とがコ字形状に形成されている。そのため、第１及び第２見切り部材４１Ａ，４１Ｂの端部に何ら変更を加えることなく、コーナーキャップ５０，６０を装飾パネル１０の隅角部１３に押し込むだけで容易にコーナーキャップ５０，６０を取り付けることができる。
【００８８】
以上のように、本実施形態１によれば、装飾パネル１０の隅角部１３において、該隅角部１３を形成する２つの辺縁部に設けられる第１及び第２見切り部材４１Ａ，４１Ｂの継目又は隙間を覆う着脱容易なコーナーキャップ５０，６０を提供することにより、装飾パネル１０の意匠性を低下させることなく該装飾パネル１０の辺縁部に設けられる見切り部材４１の施工性を向上させることが可能になる。
【００８９】
また、本実施形態１では、コーナーキャップ５０，６０の少なくとも側面カバー部５２，６２が可撓性を有する材料によって形成されている。このように側面カバー部５２，６２が可撓性を有するように構成することにより、コーナーキャップ５０，６０の着脱時に、側面カバー部５２，６２を撓ませて表面カバー部５１，６１と当接部５３，６３との間隔を広げることが可能になるため、容易にコーナーキャップ５０，６０を着脱することができる。
【００９０】
また、本実施形態１では、コーナーキャップ５０，６０の側面カバー部５２，６２が、第１及び第２見切り部材４１Ａ，４１Ｂの側面部４３に沿う断面Ｌ字形状に形成されている。そのため、コーナーキャップ５０，６０を第１及び第２見切り部材４１Ａ，４１Ｂに取り付けた際に、側面カバー部５２，６２を第１及び第２見切り部材４１Ａ，４１Ｂの側面部４３に当接させることができる。よって、第１及び第２見切り部材４１Ａ，４１Ｂの側面部４３の継目を側面カバー部５２，６２によって確実に覆うことができる。また、コーナーキャップ５０，６０において表面カバー部５１，６１と当接部５３，６３だけでなく、側面カバー部５２，６２も第１及び第２見切り部材４１Ａ，４１Ｂに当接させることにより、第１及び第２見切り部材４１Ａ，４１Ｂに取り付けられたコーナーキャップ５０，６０の姿勢が安定し、第１及び第２見切り部材４１Ａ，４１Ｂから脱落し難くなる。
【００９１】
また、本実施形態１では、コーナーキャップ５０，６０に表面カバー部５１，６１から当接部５３，６３側に突出する前側突出部５４，６４が設けられ、該前側突出部５４，６４は、側面カバー部５２，６２との間に第１及び第２見切り部材４１Ａ，４１Ｂの表面部４２を挟持するように構成されている。このような構成により、コーナーキャップ５０，６０に第１及び第２見切り部材４１Ａ，４１Ｂから外れるような力が作用しても、前側突出部５４，６４が第１及び第２見切り部材４１Ａ，４１Ｂの表面部４２に引っ掛かることにより、コーナーキャップ５０，６０が第１及び第２見切り部材４１Ａ，４１Ｂから脱落し難くなる。
【００９２】
また、本実施形態１では、コーナーキャップ５０，６０に当接部５３，６３から表面カバー部５１，６１側に突出する後側突出部５５，６５が設けられ、該後側突出部５５，６５は、側面カバー部５２，６２との間に第１及び第２見切り部材４１Ａ，４１Ｂの側面部４３の後端部４３ａを挟持するように構成されている。このような構成により、コーナーキャップ５０，６０に第１及び第２見切り部材４１Ａ，４１Ｂから外れるような力が作用しても、後側突出部５５，６５が第１及び第２見切り部材４１Ａ，４１Ｂの側面部４３の後端部４３ａに引っ掛かることにより、コーナーキャップ５０，６０が第１及び第２見切り部材４１Ａ，４１Ｂから脱落し難くなる。
【００９３】
また、本実施形態１では、コーナーキャップ５０，６０の前側突出部５４，６４は、側面カバー部５２，６２との対向面が、第１及び第２見切り部材４１Ａ，４１Ｂの側面部４３に沿う断面Ｌ字形状に形成されている。そのため、コーナーキャップ５０，６０を第１及び第２見切り部材４１Ａ，４１Ｂに取り付けた際に、前側突出部５４，６４と第１及び第２見切り部材４１Ａ，４１Ｂの側面部４３とがしっかりと係合するため、コーナーキャップ５０，６０の姿勢が安定し、第１及び第２見切り部材４１Ａ，４１Ｂから脱落し難くなる。
【００９４】
また、本実施形態１では、コーナーキャップ５０，６０の後側突出部５５，６５は、側面カバー部５２，６２との対向面が、第１及び第２見切り部材４１Ａ，４１Ｂの側面部４３に沿う断面Ｌ字形状に形成されている。そのため、コーナーキャップ５０，６０を第１及び第２見切り部材４１Ａ，４１Ｂに取り付けた際に、後側突出部５５，６５と第１及び第２見切り部材４１Ａ，４１Ｂの側面部４３の後端部４３ａとがしっかりと係合するため、コーナーキャップ５０，６０の姿勢が安定し、第１及び第２見切り部材４１Ａ，４１Ｂから脱落し難くなる。
【００９５】
また、本実施形態１では、装飾パネル１０の隅角部１３において、該隅角部１３を形成する２つの辺縁部に設けられる第１及び第２見切り部材４１Ａ，４１Ｂの継目又は隙間を着脱容易なコーナーキャップ５０，６０で覆うこととしたため、装飾パネル１０の意匠性を低下させることなく該装飾パネル１０の辺縁部に施工性に優れた見切り構造を提供することができ、意匠性及び施工性に優れた装飾パネル体１を提供することができる。
【００９６】
《その他の実施形態》
上記実施形態１では、出隅コーナーキャップ５０の表面カバー部５１を、第１及び第２見切り部材４１Ａ，４１Ｂの表面部４２の継目に沿って延びる形状とし、入隅コーナーキャップ６０の表面カバー部６１を、第１及び第２見切り部材４１Ａ，４１Ｂの表面部４２の矩形の隙間を覆うＬ字形状としていた。しかしながら、コーナーキャップ５０，６０の表面カバー部５１，６１の形状は、第１及び第２見切り部材４１Ａ，４１Ｂの表面部４２の継目又は隙間の形状に応じてこれらを覆い隠せる形状であればいかなる形状であってもよい。
【００９７】
また、上記実施形態１では、コーナーキャップ５０，６０の側面カバー部５２，６２は、第１及び第２見切り部材４１Ａ，４１Ｂの側面部４３に沿う断面Ｌ字形状に形成され、該側面部４３に当接するように設けられていた。しかしながら、コーナーキャップ５０，６０の側面カバー部５２，６２の形状は、第１及び第２見切り部材４１Ａ，４１Ｂの側面部４３の継目を覆い隠せる形状であればいかなる形状であってもよく、側面部４３に当接しない形状であってもよい。
【００９８】
また、上記実施形態１では、コーナーキャップ５０，６０を、可撓性を有する樹脂材料で形成していたが、コーナーキャップ５０，６０の材料はこれに限られない。コーナーキャップ５０，６０は、少なくとも側面カバー部５２，６２が可撓性を有する材料で形成されていればよく、例えば、弾性力を有する金属材料で形成されていてもよい。
【００９９】
また、上記実施形態１では、コーナーキャップ５０，６０は、表面カバー部５１，６１と、側面カバー部５２，６２と、当接部５３，６３と、前側突出部５４，６４と、後側突出部５５，６５とをそれぞれ有するように構成されていたが、本発明に係るコーナーキャップ５０，６０は、少なくとも表面カバー部５１，６１と側面カバー部５２，６２と当接部５３，６３とを備えていればよい。
【０１００】
また、上記実施形態１では、室内の壁面Ｗの前側（室内側）に該壁面Ｗと間隔を空けて設けたふかし壁を装飾パネル１０とし、その隅角部１３に本発明に係るコーナーキャップ５０，６０を設ける例について説明したが、本発明に係るコーナーキャップ５０，６０が適用される装飾パネルは、上述のふかし壁のような装飾壁に限られない。例えば、天井面や床面の装飾用の装飾パネルにも本発明に係るコーナーキャップ５０，６０を適用することができる。
【産業上の利用可能性】
【０１０１】
本発明は、装飾パネルに設けられるコーナーキャップ、見切り構造、及びコーナーキャップを備えた装飾パネル体に有用である。
【符号の説明】
【０１０２】
１      装飾パネル体
１０      装飾パネル
１２      辺縁部
１３      隅角部
４１Ａ    第１見切り部材（見切り部材）
４１Ｂ    第２見切り部材（見切り部材）
４２      表面部
４３      側面部
４３ａ    後端部
５０      出隅コーナーキャップ（コーナーキャップ）
５１      表面カバー部
５２      側面カバー部
５３      当接部
５４      前側突出部
５５      後側突出部
６０      入隅コーナーキャップ（コーナーキャップ）
６１      表面カバー部
６２      側面カバー部
６３      当接部
６４      前側突出部
６５      後側突出部
【図１】
2020012347.tif 000003
【図２】
2020012347.tif 000004
【図３】
2020012347.tif 000005
【図４】
2020012347.tif 000006
【図５】
2020012347.tif 000007
【図６】
2020012347.tif 000008
【図７】
2020012347.tif 000009
【図８】
2020012347.tif 000010
【図９】
2020012347.tif 000011
【図１０】
2020012347.tif 000012
【図１１】
2020012347.tif 000013
【図１２】
2020012347.tif 000014
【図１３】
2020012347.tif 000015